(57)【特許請求の範囲】
【請求項１】
電源供給装置に接続された電子装置を、前記電源供給装置から撤去した後、前記電源供
給装置と前記電子装置とを接続していた配線を撤去するために撤去対象の配線を特定する
方法であって、
前記撤去対象の２本の配線に、抵抗とインピーダンス可変装置とを含む疑似負荷装置を
接続するステップであって、前記抵抗は、前記撤去対象の２本の配線の間に接続され、前
記インピーダンス可変装置は、前記撤去対象の２本の配線のいずれか１つと、接地端子と
の間に接続される、ステップと、
前記撤去対象の２本の配線と推定される配線の双方に電流センサを接続するステップと
、
前記インピーダンス可変装置により前記疑似負荷装置内の負荷インピーダンスを調整し
て、前記疑似負荷装置を流れる電流に時間的変化を与えるステップと、
前記電流センサにより、前記電流の時間的変化を検出した場合に、前記推定される配線
を前記撤去対象の配線と特定するステップと
を備えることを特徴とする撤去対象の配線を特定する方法。
【請求項２】
電源供給装置に接続された電子装置を、前記電源供給装置から撤去した後、前記電源供
給装置と前記電子装置とを接続していた配線を撤去するために撤去対象の配線を特定する
方法であって、
前記撤去対象の２本の配線に、抵抗とインピーダンス可変装置とを含む疑似負荷装置を
接続するステップであって、前記抵抗は、前記撤去対象の２本の配線の間に接続され、前
記インピーダンス可変装置は、前記撤去対象の２本の配線のいずれか１つとの間で閉回路
を形成する、ステップと、
前記撤去対象の２本の配線と推定される配線の双方に電流センサを接続するステップと
、
前記閉回路に、電流信号を印加するステップと、
前記インピーダンス可変装置により前記疑似負荷装置内の負荷インピーダンスを調整し
て、前記閉回路を流れる電流に時間的変化を与えるステップと、
前記電流センサにより、前記電流の時間的変化を検出した場合に、前記推定される配線
を前記撤去対象の配線と特定するステップと
を備えることを特徴とする撤去対象の配線を特定する方法。
【請求項３】
電源供給装置に接続された電子装置を、前記電源供給装置から撤去した後、前記電源供
給装置と前記電子装置とを接続していた配線を撤去するために撤去対象の配線を特定する
方法であって、
前記撤去対象の２本の配線に、信号発生装置とインピーダンス可変装置とを含む疑似負
荷装置を接続するステップであって、前記信号発生装置と前記インピーダンス可変装置は
、前記撤去対象の２本の配線のいずれか１つとの間で閉回路を形成する、ステップと、
前記撤去対象の２本の配線と推定される配線の双方に電流センサを接続するステップと
、
前記閉回路に、前記信号発生装置により電流信号を印加するステップと、
前記インピーダンス可変装置により前記疑似負荷装置内の負荷インピーダンスを調整し
て、前記閉回路を流れる電流に時間的変化を与えるステップと、
前記電流センサにより、前記電流の時間的変化を検出した場合に、前記推定される配線
を前記撤去対象の配線と特定するステップと
を備えることを特徴とする撤去対象の配線を特定する方法。
【請求項４】
電源供給装置に接続された電子装置を、前記電源供給装置から撤去した後、前記電源供給装置と前記電子装置とを接続していた配線を撤去するために撤去対象の配線を特定する配線特定システムであって、
前記撤去対象の２本の配線に接続される疑似負荷装置であって、前記撤去対象の２本の配線の間に接続される抵抗と、前記撤去対象の２本の配線のいずれか１つと、接地端子との間に接続され、負荷インピーダンスを調整することにより前記疑似負荷装置を流れる電流に時間的変化を与えるインピーダンス可変装置とを含む、疑似負荷装置と、
前記撤去対象の２本の配線と推定される配線の双方に接続される電流センサと
を備え、
前記電流センサにより、前記電流の時間的変化を検出した場合に、前記推定される配線を前記撤去対象の配線と特定することを特徴とする撤去対象の配線特定システム。
【請求項５】
電源供給装置に接続された電子装置を、前記電源供給装置から撤去した後、前記電源供給装置と前記電子装置とを接続していた配線を撤去するために撤去対象の配線を特定する配線特定システムであって、
前記撤去対象の２本の配線に接続される疑似負荷装置であって、前記撤去対象の２本の配線の間に接続される抵抗と、前記撤去対象の２本の配線のいずれか１つとの間で閉回路を形成し、負荷インピーダンスを調整することにより前記閉回路を流れる電流に時間的変化を与えるインピーダンス可変装置を含む、疑似負荷装置と、
前記撤去対象の２本の配線と推定される配線の双方に接続される電流センサと、
前記閉回路に、電流信号を印加する電流印加手段と
を備え、
前記電流センサにより、前記電流の時間的変化を検出した場合に、前記推定される配線を前記撤去対象の配線と特定することを特徴とする撤去対象の配線特定システム。
【請求項６】
電源供給装置に接続された電子装置を、前記電源供給装置から撤去した後、前記電源供給装置と前記電子装置とを接続していた配線を撤去するために撤去対象の配線を特定する配線特定システムであって、
前記撤去対象の２本の配線に接続される疑似負荷装置であって、前記撤去対象の２本の配線のいずれか１つとの間で閉回路を形成する信号発生装置及びインピーダンス可変装置とを含み、前記信号発生装置は、前記閉回路に電流信号を与え、前記インピーダンス可変装置は、負荷インピーダンスを調整することにより前記閉回路を流れる電流に時間的変化を与える、疑似負荷装置と、
前記撤去対象の２本の配線と推定される配線の双方に接続される電流センサと
を備え、
前記電流センサにより、前記電流の時間的変化を検出した場合に、前記推定される配線を前記撤去対象の配線と特定することを特徴とする撤去対象の配線特定システム。
【発明の詳細な説明】
【技術分野】
【０００１】
本発明は、通信設備内の撤去対象の配線特定方法及びシステムに関し、より詳細には、古い機器を撤去し新しい通信設備を更改する場合において、古い機器に接続されていた配線の配線特定方法及びシステムに関する。
【背景技術】
【０００２】
通信ビル、データセンタ等、多数の電気通信機器を同時に使用している通信センタでは、古い機器を撤去し新しい通信設備を更改する場合、概に施設した電源線や通信線等が二重床の下部などに多数残っていることがある。このような（不要な）配線を撤去しようとしても、他の配線の下に埋もれたり、複雑に絡み合ったりなどして、うまく引き抜くことができず、作業が効率的に進まない場合がある。
【０００３】
このとき、撤去する配線のみを短く切断して引き抜く方法が作業効率の面では有利であるが、反面他の現用の装置に接続された配線を間違って切断してしまう可能性があり、切断する配線が確実に撤去対象の配線であることを確認する手段が必要とされる。
【０００４】
例えば、リング状の冶具を用意し、撤去する配線の片端からそのリングを通して端から配線を確認しながら、切断対象の配線にマーキングをしていくなどの方法で、確実に切断対象の配線を特定していくことができる。この方法は配線を間違えない点では確実であるものの、二重床の床下でリングを通し確認していく作業に手間がかかり、作業効率が非常に悪い点が問題であった。
【０００５】
このような配線を識別する手段の一例として、撤去対象配線の一端から特定の信号を入力しておき、その信号をクランプ状のセンサを用いて測定することで、配線の識別を行う方法がある。この方法では、配線を任意の場所でクランプして計測するだけで、対象の配線かどうかを即時に判断でき、作業の効率化の点では有効である。
【０００６】
図１は、通信ビル等に配置される通信設備を簡略化した通信設備１００において、不必要な通信装置１４１を撤去した場合の配線を撤去する方法を説明する図である。通信設備１００において、電源供給装置（ＡＣ又はＤＣ）から電流分配架１１０の電流供給線１１１及び１１２に電流が与えられている。通信装置１２１は配線１２２を介して電流供給線１１１と接続され、配線１２３を介して電流供給線１１２と接続されている。通信装置１３１は配線１３２を介して電流供給線１１１と接続され、配線１３３を介して電流供給線１１２と接続されている。また、通信装置１４１は配線１４２を介して電流供給線１１１と接続され、配線１４３を介して電流供給線１１２と接続されている。
【０００７】
ここで、通信装置１４１を通信設備１００から撤去する場合、まず、通信装置１４１から配線１４２及び１４３を取り外す（切断する）。次に、配線１４２及び１４３に信号入力装置１４４を接続し、撤去対象の配線１４１及び１４２と推定される配線には信号センサ１４７のクランプ型のプローブ１４５を取り付ける。次に、信号入力装置１４４から配線１４２及び１４３に特定の電圧性の信号を印加する。信号センサ１４７のプローブ１４５に接続された検出装置１４６、または電圧検知センサ１４８により、信号入力装置１４４からの電圧信号を検出できれば、クランプ型プローブ１４５を取り付けた配線が撤去対象の配線１４２及び１４３であると特定することができる。
【先行技術文献】
【非特許文献】
【０００８】
【非特許文献１】戸上電機「配線路探索機ケーブルチェッカ」（２０１５年５月２１日検索］）［インターネット（http://www.togami-elec.co.jp/product/product_001.php）］
【発明の概要】
【発明が解決しようとする課題】
【０００９】
図１に記載の配線を撤去する方法では、信号入力装置１４４により配線１４２及び１４３に入力する信号の周波数や強度を、極めて慎重に選ばないと、電磁誘導や電磁放射によって他の配線に影響を及ぼすことが問題となる。特に、クランプ型信号センサ１４５には一般にクランプ型の電流プローブが用いられるが、このセンサを小型に作成するためには、入力信号としてある程度高周波数（例えば数ｋＨｚ）の信号を使用する必要がある。しかし、信号入力装置１４４から配線１４２及び１４３への入力信号の周波数が高くなるにしたがって、他の配線への誘導や放射の発生が増加し、稼働中の通信機器（１２１及び１３１等）が誤動作、不具合を起こす可能性が高くなる。そのため、高周波数の入力信号の使用は、微弱な信号を扱う通信センタでは採用が控えられることが多く、一方で入力信号に低周波数の信号を用いた場合には、クランプ型センサが大型になってしまうという問題がある。
【００１０】
さらに、電流分配架１１０の電流供給線１１１及び１１２には、通信機器に電力を供給する配線が多数集約されている場合が多い。このような場合、事前に通信機器との対照を行った配線であっても、配線を安易に取り外すことができない。万が一その対照が間違っていた場合に、配線をはずしてしまうと、稼働中の機器を停止させることになるからである。従って、配線１４２及び１４３は、撤去した通信機器１４１に接続されていた配線であると特定した後、最後に電流供給線１１１及び１１２から取り外すことになる。しかし、電流供給線１１１に配線１４２が、電流供給線１１２に１４３が残った状態で、信号入力装置１４４から配線１４２及び１４３に信号を入力すると、特に信号が電圧性の信号であった場合には、電流供給線１１１及び１１２を介して別の機器への配線にも重畳してしまう可能性が高い。したがって、電圧性の信号入力型の配線識別機を使用した場合においては、稼働中の機器に接続された配線（１２３及び１３３等）にも同じ信号が重畳されることから、特定の配線の識別が困難となり、しかも、稼働中の通信機器（１２１及び１３１等）が誤動作、不具合を起こす可能性が高くなるという問題がある。
【００１１】
本発明は、このような問題に鑑みてなされたもので、その目的とするところは、稼働中の他の機器に影響を与えることなく、撤去対象の配線に信号を送信して、撤去対象の配線を特定する方法及びシステムを提供することを目的とする。
【課題を解決するための手段】
【００１３】
このような目的を達成するために、本発明の第１の態様は、電源供給装置に接続された電子装置を、前記電源供給装置から撤去した後、前記電源供給装置と前記電子装置とを接続していた配線を撤去するために撤去対象の配線を特定する方法であって、前記撤去対象の２本の配線に、抵抗とインピーダンス可変装置とを含む疑似負荷装置を接続するステップであって、前記抵抗は、前記撤去対象の２本の配線の間に接続され、前記インピーダンス可変装置は、前記撤去対象の２本の配線のいずれか１つと、接地端子との間に接続される、ステップと、前記撤去対象の２本の配線と推定される配線の双方に電流センサを接続するステップと、前記インピーダンス可変装置により前記疑似負荷装置内の負荷インピーダンスを調整して、前記疑似負荷装置を流れる電流に時間的変化を与えるステップと、前記電流センサにより、前記電流の時間的変化を検出した場合に、前記推定される配線を前記撤去対象の配線と特定するステップとを備えることを特徴とする。
【００１４】
また、本発明の第２の態様は、電源供給装置に接続された電子装置を、前記電源供給装置から撤去した後、前記電源供給装置と前記電子装置とを接続していた配線を撤去するために撤去対象の配線を特定する方法であって、前記撤去対象の２本の配線に、抵抗とインピーダンス可変装置とを含む疑似負荷装置を接続するステップであって、前記抵抗は、前記撤去対象の２本の配線の間に接続され、前記インピーダンス可変装置は、前記撤去対象
の２本の配線のいずれか１つとの間で閉回路を形成する、ステップと、前記撤去対象の２
本の配線と推定される配線の双方に電流センサを接続するステップと、前記閉回路に、電
流信号を印加するステップと、前記インピーダンス可変装置により前記疑似負荷装置内の
負荷インピーダンスを調整して、前記閉回路を流れる電流に時間的変化を与えるステップ
と、前記電流センサにより、前記電流の時間的変化を検出した場合に、前記推定される配
線を前記撤去対象の配線と特定するステップとを備えることを特徴とする。
【００１５】
また、本発明の第３の態様は、電源供給装置に接続された電子装置を、前記電源供給装
置から撤去した後、前記電源供給装置と前記電子装置とを接続していた配線を撤去するた
めに撤去対象の配線を特定する方法であって、前記撤去対象の２本の配線に、信号発生装
置とインピーダンス可変装置とを含む疑似負荷装置を接続するステップであって、前記信
号発生装置と前記インピーダンス可変装置は、前記撤去対象の２本の配線のいずれか１つ
との間で閉回路を形成する、ステップと、前記撤去対象の２本の配線と推定される配線の
双方に電流センサを接続するステップと、前記閉回路に、前記信号発生装置により電流信
号を印加するステップと、前記インピーダンス可変装置により前記疑似負荷装置内の負荷
インピーダンスを調整して、前記閉回路を流れる電流に時間的変化を与えるステップと、
前記電流センサにより、前記電流の時間的変化を検出した場合に、前記推定される配線を
前記撤去対象の配線と特定するステップとを備えることを特徴とする。
【００１７】
また、本発明の第４の態様は、電源供給装置に接続された電子装置を、前記電源供給装置から撤去した後、前記電源供給装置と前記電子装置とを接続していた配線を撤去するために撤去対象の配線を特定する配線特定システムであって、前記撤去対象の２本の配線に接続される疑似負荷装置であって、前記撤去対象の２本の配線の間に接続される抵抗と、前記撤去対象の２本の配線のいずれか１つと、接地端子との間に接続され、負荷インピーダンスを調整することにより前記疑似負荷装置を流れる電流に時間的変化を与えるインピーダンス可変装置とを含む、疑似負荷装置と、前記撤去対象の２本の配線と推定される配線の双方に接続される電流センサとを備え、前記電流センサにより、前記電流の時間的変化を検出した場合に、前記推定される配線を前記撤去対象の配線と特定することを特徴とする。
【００１８】
また、本発明の第５の態様は、電源供給装置に接続された電子装置を、前記電源供給装置から撤去した後、前記電源供給装置と前記電子装置とを接続していた配線を撤去するために撤去対象の配線を特定する配線特定システムであって、前記撤去対象の２本の配線に接続される疑似負荷装置であって、前記撤去対象の２本の配線の間に接続される抵抗と、前記撤去対象の２本の配線のいずれか１つとの間で閉回路を形成し、負荷インピーダンスを調整することにより前記閉回路を流れる電流に時間的変化を与えるインピーダンス可変装置を含む、疑似負荷装置と、前記撤去対象の２本の配線と推定される配線の双方に接続される電流センサと、前記閉回路に、電流信号を印加する電流印加手段とを備え、前記電流センサにより、前記電流の時間的変化を検出した場合に、前記推定される配線を前記撤去対象の配線と特定することを特徴とする。
【００１９】
また、本発明の第６の態様は、電源供給装置に接続された電子装置を、前記電源供給装
置から撤去した後、前記電源供給装置と前記電子装置とを接続していた配線を撤去するた
めに撤去対象の配線を特定する配線特定システムであって、前記撤去対象の２本の配線に接続される疑似負荷装置であって、前記撤去対象の２本の配線のいずれか１つとの間で閉回路を形成する信号発生装置及びインピーダンス可変装置とを含み、前記信号発生装置は、前記閉回路に電流信号を与え、前記インピーダンス可変装置は負荷インピーダンスを調整することにより前記閉回路を流れる電流に時間的変化を与える、疑似負荷装置と、前記撤去対象の２本の配線と推定される配線の双方に接続される電流センサとを備え、前記電流センサにより、前記電流の時間的変化を検出した場合に、前記推定される配線を前記撤去対象の配線と特定することを特徴とする。
【発明の効果】
【００２０】
撤去対象の配線を特定する際、他の現用の通信装置を経由しない閉回路を作成して、閉回路内の電流変動を配線検出に用いているため、電源供給装置に他の現用の通信装置が並列につながっていても、他の通信装置への影響なく配線識別が出来る。また、識別信号電圧を配線に直接接続して印加するのではなく、クランプ型の電流信号注入プローブを用いて識別信号を印加しているため、電源供給装置近辺の配線を外さず、電源供給装置により電源を供給した状態のままでも他の現用の通信装置に影響を与えることなく配線識別が可能となるため、撤去作業を確実に進めることができ、作業効率が向上する。
【図面の簡単な説明】
【００２１】
【図１】通信ビル等に配置される通信設備において、不必要な通信装置を撤去した場合の配線を撤去する方法を説明する図である。
【図２】本発明の第１の実施形態にかかる撤去対象の配線を特定する方法において、電源供給装置に疑似負荷装置を接続し、撤去対象の配線に電流センサを取り付けた状態を示す構成図である。
【図３】図２の疑似負荷装置において調整した負荷インピーダンス及び負荷インピーダンスの調整による疑似負荷装置と配線とを流れる電流の時間的変化の例を示す。ここで、（ａ）は、インピーダンス可変装置により予め設定した時間変化の通りに調整した負荷インピーダンスの時間的変化、（ｂ）は、電源供給装置がＡＣ電源である場合において、疑似負荷装置の負荷インピーダンスを（ａ）のような波形に調整した場合に算出された、疑似負荷装置と配線とを流れる電流の時間的変化、（ｃ）は、電源供給装置がＤＣ電源である場合において、疑似負荷装置の負荷インピーダンスを（ａ）のような波形に調整した場合に算出された、疑似負荷装置と配線とを流れる電流の時間的変化を示している。
【図４】本発明の第２の実施形態にかかる撤去対象の配線を特定する方法において、電源供給装置に疑似負荷装置を接続し、撤去対象の配線に電流センサを取り付けた状態を示す構成図である。
【図５】本発明の第３の実施形態にかかる撤去対象の配線を特定する方法において、電源供給装置に疑似負荷装置を接続し、撤去対象の配線に電流センサを取り付けた状態を示す構成図である。
【図６】本発明の第３の実施形態の変形例１にかかる撤去対象の配線を特定する方法において、電源供給装置に疑似負荷装置を接続し、撤去対象の配線に電流センサを取り付けた状態を示す構成図である。
【図７】本発明の第３の実施形態の変形例２にかかる撤去対象の配線を特定する方法において、電源供給装置に疑似負荷装置を接続し、撤去対象の配線に電流センサを取り付けた状態を示す構成図である。
【図８】本発明の第３の実施形態の変形例３にかかる撤去対象の配線を特定する方法において、電源供給装置に疑似負荷装置を接続し、撤去対象の配線に電流センサを取り付けた状態を示す構成図である。
【図９】本発明の第４の実施形態にかかる撤去対象の配線を特定する方法において、電源供給装置に疑似負荷装置を接続し、撤去対象の配線に電流センサを取り付けた状態を示す構成図である。
【発明を実施するための形態】
【００２２】
以下、図面を参照しながら本発明の実施形態について詳細に説明する。
【００２３】
［第１の実施形態］
通信設備において、電源供給装置に接続されている通信装置を撤去した後、電源供給装置と通信装置とを接続する配線も撤去することになる。本実施形態において、撤去した通信装置に接続されていた配線を撤去するために、撤去対象となる配線を特定する。
【００２４】
本実施形態においては、電源供給装置に、２本の配線を介して接続されている通信装置を取り外し、取り外した通信装置の代わりに、疑似負荷装置を取り付ける。疑似負荷装置は、疑似負荷装置内のインピーダンスに時間的変化を与え、疑似負荷装置内と撤去対象の配線とを流れる電流を時間的に変化させるものである。撤去対象と推定される配線には電流センサを取り付け、電流の時間的変化を検出し、撤去対象の配線を特定する。
【００２５】
図２は、本発明の第１の実施形態にかかる撤去対象の配線を特定する方法において、電源供給装置に疑似負荷装置を接続し、撤去対象の配線に電流センサを取り付けた状態を示す構成図である。図２の通信設備２００において、電源供給装置２０１には、配線２１２及び２１３を介して疑似負荷装置２２０が接続される。ここで、電源供給装置２０１はＡＣ又はＤＣ電源である。疑似負荷装置２２０は、接続端子２２２及び２２３と、接続端子２２２及び２２３の間に配置されたインピーダンス可変装置２２１とを備えている。通信装置２１１から取り外した配線２１２は接続端子２２２に、配線２１３は接続端子２２３に取り付けられる。インピーダンス可変装置２２１は、疑似負荷装置２２０内の負荷インピーダンスをあらかじめ設定した通りに時間的に変化させ（Ｚm（ｔ））、疑似負荷装置２２０と配線２１２及び２１３とを流れる電流に時間的変化を与える。
【００２６】
また、図２の通信設備２００において、撤去対象配線となる配線２１３（又は配線２１２）であると推定される配線には電流センサ２３０が取り付けられる。電流センサ２３０は、配線をクランプして電流を検出するクランプ状の電流プローブ２３１と、電流プローブ２３１に接続された検出装置２３２とを備える。電流プローブ２３１は、クランプ型の電流センサであり撤去対象となる配線２１３（又は配線２１２）と推定される配線をクランプして、配線を流れる電流の変化を感知して検出装置２３２に送信する。
【００２７】
ここで、本実施形態による、撤去対象となる配線を特定する方法について説明する。配線２１２及び２１３から通信装置２１１を取り外した後に、疑似負荷装置２２０の接続端子２２２を配線２１２に、接続端子２２３を配線２１３に接続する。次に、電流センサ２３０の電流プローブ２３１を、撤去対象配線である配線２１３（又は２１２）と推定される配線にクランプする。
【００２８】
そして、疑似負荷装置２２０のインピーダンス可変装置２２１において、予め設定した時間変化の通りに負荷インピーダンスを調整する（Ｚm（ｔ））。負荷インピーダンスの調整により、疑似負荷装置２２０と配線２１２及び２１３とを流れる電流も、負荷インピーダンスの時間的変化に対応して、時間的に変化する。通信機器２１１の替わりに取り付けた疑似負荷装置２２０を流れる電流は、電源供給装置２０１の疑似負荷装置２２０への印加電圧と、負荷インピーダンスとにより決まる。ここで、電流センサ２３０の検出装置２３２に対し、予め設定した負荷インピーダンスの波形（Ｚm（ｔ））を与えることにより、疑似負荷装置２２０と配線２１２及び２１３とを流れる電流の波形（Ｉ（ｔ））を算出して、記憶できるように設定する。
【００２９】
図３は、疑似負荷装置２２０において調整した負荷インピーダンス及び負荷インピーダンスの調整による疑似負荷装置２２０と配線２１２及び２１３とを流れる電流の時間的変化の例を示す。ここで、図３（ａ）は、インピーダンス可変装置２２１により予め設定した時間変化の通りに調整した負荷インピーダンスの時間的変化、図３（ｂ）は、電源供給装置２０１がＡＣ電源である場合において、疑似負荷装置２２０の負荷インピーダンスを図３（ａ）のような波形に調整した場合に算出された、疑似負荷装置２２０と配線２１２及び２１３とを流れる電流の時間的変化、図３（ｃ）は、電源供給装置２０１がＤＣ電源である場合において、疑似負荷装置２２０の負荷インピーダンスを図３（ａ）のような波形に調整した場合に算出された、疑似負荷装置２２０と配線２１２及び２１３とを流れる電流の時間的変化を示している。
【００３０】
従って、負荷インピーダンスを、図３（ａ）のような波形に変化させた場合、電流プローブ２３１に接続された検出装置２３２において、算出し記憶した図３（ｂ）又は図３（ｃ）の電流波形と同一の電流波形が検出された場合は、電流プローブ２３１がクランプした配線が、撤去対象の配線２１３であると特定できる。一方で、図３（ｂ）又は図３（ｃ）の電流波形と異なる電流波形が検出された場合は、電流プローブ２３１がクランプした配線が、撤去対象の配線２１３ではないと特定できる。
【００３１】
ここで、負荷インピーダンスの変動は、他の機器の電源電流変動に見られない特徴的な波形としておくことで、配線を流れる電流変化の誤識別が防げる。
【００３２】
なお、図２において配線２１３を識別後、電流プローブ２３１を取りはずし、撤去対象配線である配線２１２と推定される配線にクランプすることにより、同様の方法でクランプした配線が撤去対象の配線２１２であるかどうかを特定できる。
【００３３】
本実施形態においては、電流の変動を検出に用いているため、他の現用の通信装置が並列に接続されていても、他の現用の通信装置への影響がない。従って、電源供給装置側の配線を外さず、電源から電流を供給した状態のままでも、他の現用の通信装置に接続された配線に信号が回り込むことなく、配線の誤識別を防止することができる。
【００３４】
［第２の実施形態］
本実施形態においても、電源供給装置に、２本の配線を介して接続されている通信装置を取り外し、取り外した通信装置の代わりに、疑似負荷装置を取り付ける。撤去対象と推定される配線には電流センサを取り付け、疑似負荷装置の負荷インピーダンスの調整により生じた電流の時間的変化を検出し、撤去対象の配線を特定するが、本実施形態においては２本の配線が一体となり、分離できない場合の配線の特定方法である。
【００３５】
図４は、本発明の第２の実施形態にかかる撤去対象の配線を特定する方法において、電源供給装置に疑似負荷装置を接続し、撤去対象の配線に電流センサを取り付けた状態を示す構成図である。図４の通信設備４００において、電源供給装置４０１には、配線４１２及び４１３を介して疑似負荷装置４２０が接続される。ここで、電源供給装置４０１はＤＣ電源であり、配線４１３は接地されている。疑似負荷装置４２０は、接続端子４２３及び４２４と、通信設備内のアースに接続された接地端子４２５と、接続端子４２３と４２４との間に配置された抵抗（インピーダンス）４２１と、接続端子４２３と接地端子４２５との間に配置されたインピーダンス可変装置４２２とを備えている。通信装置４１１から取り外した配線４１２は接続端子４２３に、配線４１３は接続端子４２４に取り付けられる。抵抗４２１は、接続端子４２３と４２４との間の負荷のインピーダンスを一定（Ｚ0）に保つ。インピーダンス可変装置４２２は、疑似負荷装置４２０内の接続端子４２３と接地端子４２５との間の負荷インピーダンスをあらかじめ設定した通りに時間的に変化させ（Ｚm（ｔ））、疑似負荷装置４２０と配線４１２とを流れる電流に時間的変化を与える。
【００３６】
また、図４の通信設備４００において、撤去対象の配線（組）となる配線４１３及び配線４１２であると推定される配線（組）には、電流センサ４３０が取り付けられる。電流センサ４３０は、配線をクランプして電流を検出するクランプ状の電流プローブ４３１と、電流プローブ４３１に接続された検出装置４３２とを備える。電流プローブ４３１は、クランプ型の電流センサであり撤去対象となる配線２１２及び配線２１３と推定される配線（組）をクランプして、配線を流れる電流の変化を感知して検出装置２３２に送信する。
【００３７】
ここで、本実施形態による、撤去対象となる配線を特定する方法について説明する。配線４１２及び４１３から通信装置４１１を取り外した後に、疑似負荷装置４２０の接続端子４２３を配線４１２に、接続端子４２４を配線４１３に接続し、疑似負荷装置４２０の接地端子４２５を通信設備内のアースに接続する。次に、電流センサ４３０の電流プローブ４３１を、撤去対象配線である配線４１２及び４１３と推定される配線（組）にクランプする。
【００３８】
そして、疑似負荷装置４２０のインピーダンス可変装置４２２において、予め設定した時間変化の通りに負荷インピーダンスを調整する（Ｚm（ｔ））。負荷インピーダンスの調整により、疑似負荷装置４２０と配線４１２とを流れる電流も、負荷インピーダンスの時間的変化に対応して、時間的に変化する。
【００３９】
ここで、電流センサ４３０の検出装置４３２に対し、予め設定した負荷インピーダンスの波形（Ｚm（ｔ））を与えることにより、疑似負荷装置４２０と配線４１２を流れる電流の波形（Ｉ（ｔ））を算出して、記憶できるように設定する。
【００４０】
負荷インピーダンスを、図３（ａ）のような波形に変化させた場合、電流プローブ４３１に接続された検出装置４３２において、算出し記憶した図３（ｃ）の電流波形と同一の電流波形が検出された場合は、電流プローブ４３１がクランプした配線が、撤去対象の配線４１２及び４１３であると特定できる。一方で、図３（ｃ）の電流波形と異なる電流波形が検出された場合は、電流プローブ４３１がクランプした配線（組）が、撤去対象の配線４１２及び４１３ではないと特定できる。
【００４１】
なお、本実施形態においては、通信装置の２本の配線（４１２及び４１３）が分離できない場合に、両配線をまとめてクランプ型の電流プローブ４３１に挟んで計測するため、電源対単位で配線識別が可能である。また、配線４１３に電流性の信号を印加しているため、通信設備内の他の稼働中の通信装置に接続された配線に信号が回り込むこともなく、配線の誤識別を防げることができる。なお、本実施形態は、主に電源供給装置４０１がＤＣ電源の場合に適用されるが、例えば片側が接地されているＡＣ電源である場合には適用することが可能である。
【００４２】
［第３の実施形態］
本実施形態においても、電源供給装置に、２本の配線を介して接続されている通信装置を取り外し、取り外した通信装置の代わりに、疑似負荷装置を取り付ける。撤去対象と推定される配線には電流センサを取り付け、疑似負荷装置の負荷インピーダンスの調整により生じた電流の時間的変化を検出し、撤去対象の配線を特定するが、本実施形態においては２本の配線が一体となり、分離できない場合の配線の特定方法である。
【００４３】
図５は、本発明の第３の実施形態にかかる撤去対象の配線を特定する方法において、電源供給装置に疑似負荷装置を接続し、撤去対象の配線に電流センサを取り付けた状態を示す構成図である。図５の通信設備５００において、電源供給装置５０１には、配線５１２及び５１３を介して疑似負荷装置５２０が接続される。ここで、電源供給装置５０１はＡＣ又はＤＣ電源である。疑似負荷装置５２０は、接続端子５２３及び５２４と、電流出力端子５２５と、接続端子５２３と５２４との間に配置された抵抗（インピーダンス）５２１と、接続端子５２４と電流出力端子５２５との間に配置されたインピーダンス可変装置５２２とを備えている。通信装置５１１から取り外した配線５１２は接続端子５２３に、配線５１３は接続端子５２４に取り付けられる。また、電流出力端子５２５は配線５２６を介して配線５１３の電源供給装置５０１との接続点に接続される。このとき、配線５１３、５２６、及びインピーダンス可変装置５２２の間で閉回路が形成される。抵抗５２１は、接続端子５２３と５２４との間の負荷のインピーダンスを一定（Ｚ0）に保つ。インピーダンス可変装置５２２は、疑似負荷装置５２０内の接続端子５２４と電流出力端子５２５との間の負荷インピーダンスをあらかじめ設定した通りに時間的に変化させ（Ｚm（ｔ））、疑似負荷装置５２０と配線５１３及び５２６とを流れる電流に時間的変化を与える。
【００４４】
また、図５の通信設備５００において、撤去対象の配線（組）となる配線５１３及び配線５１２であると推定される配線（組）には、電流センサ５３０が取り付けられる。電流センサ５３０は、配線をクランプして電流を検出するクランプ状の電流プローブ５３１と、電流プローブ５３１に接続された検出装置５３２とを備える。電流プローブ５３１は、クランプ型の電流センサであり撤去対象となる配線５１３及び配線５１２と推定される配線（組）をクランプして、配線を流れる電流の変化を感知して検出装置５３２に送信する。
【００４５】
また、図５の通信設備５００において、撤去対象の配線となる配線５１３には、電流信号注入装置５４０が取り付けられる。電流信号注入装置５４０は、配線をクランプするクランプ状の電流信号注入プローブ５４１と、電流信号注入プローブ５４１に接続された信号発生器５４２とを備える。電流信号注入装置５４０は、配線５１３、５２６、及びインピーダンス可変装置５２２の間で形成された閉回路に電流信号を注入するものであり、電磁誘導等を用いて、電流信号注入プローブ５４１によりクランプした配線に所望の電流を誘起させることができる。なお、電源供給装置５０１には、通常、電流分配架の電流供給線（図１参照）を介して配線５１２及び５１３が接続されている。従って、電流信号注入装置５４０の電流信号注入プローブ５４１は、電流分配架内の電流供給線と配線５１３との接続点付近に取り付けるのが良い。配線５１２と５１３とが分離できない場合、片方の配線のみにクランプすることが困難であるが、電流供給線と配線５１３との接点付近については配線が分離された状態となっているため、電流信号注入プローブ５４１が片方の配線のみクランプすることが可能である。また、疑似負荷装置５２０内の入力端子５２４に接続された配線を電流信号注入プローブ５４１によりクランプしてもよい。
【００４６】
ここで、本実施形態による、撤去対象となる配線を特定する方法について説明する。配線５１２及び５１３から通信装置５１１を取り外した後に、疑似負荷装置５２０の接続端子５２２を配線５１２に、接続端子５２３を配線５１３に接続する。また、配線５２６を、電流出力端５２５及び配線５１３と推定される配線に接続する。次に、電流センサ５３０の電流プローブ５３１を、撤去対象配線である配線５１２及び５１３と推定される配線（組）にクランプする。
【００４７】
そして、電流信号注入装置５４０により、配線５１３に所望の電流信号を誘起させ、疑似負荷装置５２０のインピーダンス可変装置５２２において、予め設定した時間変化の通りに負荷インピーダンスを調整する（Ｚm（ｔ））。負荷インピーダンスの調整により、疑似負荷装置５２０と配線５１３及び５２６とを流れる電流も、負荷インピーダンスの時間的変化に対応して、時間的に変化する。
【００４８】
そして、疑似負荷装置５２０のインピーダンス可変装置５２２において、予め設定した時間変化の通りに負荷インピーダンスを調整する（Ｚm（ｔ））。負荷インピーダンスの調整により、疑似負荷装置５２０と配線５１３及び５２６とを流れる電流も、負荷インピーダンスの時間的変化に対応して、時間的に変化する。
【００４９】
ここで、電流センサ５３０の検出装置５３２に対し、予め設定した負荷インピーダンスの波形（Ｚm（ｔ））を与えることにより、疑似負荷装置５２０と配線５１３及び５２６とを流れる電流の波形（Ｉ（ｔ））を算出して、記憶できるように設定する。
【００５０】
負荷インピーダンスを、図３（ａ）のような波形に変化させた場合、電流プローブ５３１に接続された検出装置５３２において、算出し記憶した図３（ｂ）又は図３（ｃ）の電流波形と同一の電流波形が検出された場合は、電流プローブ５３１がクランプした配線が、撤去対象の配線５１２及び５１３であると特定できる。一方で、図３（ｃ）の電流波形と異なる電流波形が検出された場合は、電流プローブ５３１がクランプした配線（組）が、撤去対象の配線５１２及び５１３ではないと特定できる。
【００５１】
ここで、配線５１３には、電流信号注入プローブ５４０及びインピーダンス可変装置５２２により発生させた時間変化する電流のみが検出される。一対の配線５１２・５１３をまとめてクランプした電流センサにおいては、２つの配線間を流れる電流が逆で同じ電流量であるため、電源供給装置５０１による電流信号の変化はキャンセルされ、電流信号注入装置５４０及びインピーダンス可変装置５２２により発生させた電流の時間的変化のみ検出することが可能となるからである。
【００５２】
なお、電流信号注入プローブ５４０において、例えば他の機器の電源電流変動に見られない特徴的な波形による電流を発生させた場合にも、電流プローブ５３１がクランプした配線において同一の信号が検出された場合、クランプした配線を撤去対象の配線５１２及び５１３と特定できる。この場合、インピーダンス可変装置５２２によりインピーダンスを調整する必要はない。
【００５３】
なお、本実施形態においても、通信装置の２本の配線（５１２及び５１３）が分離できない場合に、両配線をまとめてクランプ型の電流プローブ５３１に挟んで計測するため、電源対単位で配線識別が可能である。また、配線５１３に電流性の信号を印加しているため、通信設備内の他の稼働中の通信装置に接続された配線に信号が回り込むこともなく、配線の誤識別を防げることができる。
【００５４】
（変形例１）
図６は、本発明の第３の実施形態の変形例１にかかる撤去対象の配線を特定する方法において、電源供給装置に疑似負荷装置を接続し、撤去対象の配線に電流センサを取り付けた状態を示す構成図である。図６の通信設備６００において、電源供給装置６０１には、配線６１２及び６１３を介して疑似負荷装置６２０が接続される。ここで、電源供給装置６０１はＡＣ又はＤＣ電源であり、配線６１３は接地されている。疑似負荷装置６２０は、接続端子６２３及び６２４と、通信設備内のアースに接続された接地端子６２５と、接続端子６２３と６２４との間に配置された抵抗（インピーダンス）６２１と、接続端子６２４と接地端子６２５との間に配置されたインピーダンス可変装置６２２とを備えている。通信装置６１１から取り外した配線６１２は接続端子６２３に、配線６１３は接続端子６２４に取り付けられる。抵抗６２１は、接続端子６２３と６２４との間の負荷のインピーダンスを一定（Ｚ0）に保つ。インピーダンス可変装置６２２は、疑似負荷装置６２０内の接続端子６２４と接地端子６２５との間の負荷インピーダンスをあらかじめ設定した通りに時間的に変化させ（Ｚm（ｔ））、疑似負荷装置６２０と配線６１３とを流れる電流に時間的変化を与える。
【００５５】
また、図６の通信設備６００において、撤去対象の配線（組）となる配線６１２及び６１３であると推定される配線（組）には、電流センサ６３０が取り付けられる。電流センサ６３０は、配線をクランプして電流を検出するクランプ状の電流プローブ６３１と、電流プローブ６３１に接続された検出装置６３２とを備える。電流プローブ６３１は、クランプ型の電流センサであり撤去対象となる配線６１３及び配線６１２と推定される配線（組）をクランプして、配線を流れる電流の変化を感知して検出装置６３２に送信する。
【００５６】
また、図６の通信設備６００において、撤去対象の配線となる配線６１３には、電流信号注入装置６４０が取り付けられる。電流信号注入装置６４０は、配線をクランプするクランプ状の電流信号注入プローブ６４１と、電流信号注入プローブ６４１に接続された信号発生器６４２とを備える。電流信号注入装置６４０は、配線６１３及びインピーダンス可変装置６２２に電流信号を注入するものであり、電磁誘導等を用いて、電流信号注入プローブ６４１によりクランプした配線に所望の電流を誘起させることができる。なお、電流信号注入装置６４０の電流信号注入プローブ６４１は、電流分配架内の電流供給線（図１参照）と配線６１３との接続点付近に取り付けるのが良い。また、疑似負荷装置６２０内の入力端子６２４に接続された配線を電流信号注入プローブ６４１によりクランプしてもよい。
【００５７】
本変形例は、配線撤去システム５００の電流出力端５２５を接地させたものであり、配線撤去システム５００と同様に、電流信号注入プローブ６４０の信号発生器により電流信号を撤去対象となる配線６１３と推定される配線に印加しつつ、疑似負荷装置６２０のインピーダンス可変装置６２２において、あらかじめ設定した通りに時間的に変化させることで、疑似負荷装置６２０と配線６１３とを流れる電流を時間的に変化させることができる。この電流の時間的変化が検出装置６３２に表示されれば、電流プローブ６３１がクランプした配線（組）を撤去対象の配線と特定できる。
【００５８】
（変形例２）
図７は、本発明の第３の実施形態の変形例２にかかる撤去対象の配線を特定する方法において、電源供給装置に疑似負荷装置を接続し、撤去対象の配線に電流センサを取り付けた状態を示す構成図である。図７の通信設備７００において、電源供給装置７０１には、配線７１２及び７１３を介して疑似負荷装置７２０が接続される。ここで、電源供給装置７０１はＡＣ又はＤＣ電源である。疑似負荷装置７２０は、接続端子７２３及び７２４と、電流出力端子７２５と、接続端子７２３と７２４との間に配置された抵抗（インピーダンス）７２１と、接続端子７２４と電流出力端子７２５との間に配置されたインピーダンス可変装置７２２とを備えている。通信装置７１１から取り外した配線７１２は接続端子７２３に、配線７１３は接続端子７２４に取り付けられる。また、電流出力端子７２５は配線７２６を介して配線７１３の電源供給装置７０１との接続点に接続される。このとき、配線７１３、７２６、及びインピーダンス可変装置７２２の間で閉回路が形成される。抵抗７２１は、接続端子７２３と７２４との間の負荷のインピーダンスを一定（Ｚ0）に保つ。インピーダンス可変装置７２２は、疑似負荷装置７２０内の接続端子７２４と電流出力端子７２５との間の負荷インピーダンスをあらかじめ設定した通りに時間的に変化させ（Ｚm（ｔ））、疑似負荷装置７２０と配線７１３及び７２６とを流れる電流に時間的変化を与える。
【００５９】
また、図７の通信設備７００において、撤去対象の配線（組）となる配線７１２及び７１３であると推定される配線（組）には、電流センサ７３０が取り付けられる。電流センサ７３０は、配線をクランプして電流を検出するクランプ状の電流プローブ７３１と、電流プローブ７３１に接続された検出装置７３２とを備える。電流プローブ７３１は、クランプ型の電流センサであり撤去対象となる配線７１３及び配線７１２と推定される配線（組）をクランプして、配線を流れる電流の変化を感知して検出装置７３２に送信する。
【００６０】
また、図７の通信設備７００において、撤去対象の配線となる配線７１２及び７２３には、電流信号注入装置７４０が取り付けられる。電流信号注入装置７４０は、配線をクランプするクランプ状の電流信号注入プローブ７４１と、電流信号注入プローブ７４１に接続された信号発生器７４２とを備える。電流信号注入装置７４０は、配線７１２又は７１３、７２６、及びインピーダンス可変装置７２２の間で形成された閉回路に電流信号を注入するものであり、電磁誘導等を用いて、電流信号注入プローブ７４１によりクランプした配線に所望の電流を誘起させることができる。本変形例においては、電流信号注入プローブ７４１により配線組（７１２及び７１３）をまとめてクランプできるため、配線７１２と７１３とが分離できない場合に有効な方法である。
【００６１】
本変形例は、配線撤去システム５００の電流信号注入プローブ５４０において、撤去対象となる配線５１２及び配線５１３と推定される配線をまとめてクランプするものであり、配線撤去システム５００と同様に、電流信号注入装置７４０の信号発生器７４２により電流信号を撤去対象となる配線７１２及び配線７１３と推定される配線に印加しつつ、疑似負荷装置７２０のインピーダンス可変装置７２２において、あらかじめ設定した通りに時間的に変化させることで、配線７１２又は７１３、７２６、及びインピーダンス可変装置７２２の間で形成された閉回路に流れる電流を時間的に変化させることができる。この電流の時間的変化が検出装置７３２に表示されれば、電流プローブ７３１がクランプした配線（組）を撤去対象の配線と特定できる。
【００６２】
（変形例３）
図８は、本発明の第３の実施形態の変形例３にかかる撤去対象の配線を特定する方法において、電源供給装置に疑似負荷装置を接続し、撤去対象の配線に電流センサを取り付けた状態を示す構成図である。図８の通信設備８００において、電源供給装置８０１には、配線８１２及び８１３を介して疑似負荷装置８２０が接続される。ここで、電源供給装置８０１はＤＣ電源であり、配線８１３は接地されている。疑似負荷装置８２０は、接続端子８２３及び８２４と、通信設備内のアースに接続された接地端子８２５と、接続端子８２３と８２４との間に配置された抵抗（インピーダンス）８２１と、接続端子８２４と接地端子８２５との間に配置されたインピーダンス可変装置８２２とを備えている。通信装置８１１から取り外した配線８１２は接続端子８２３に、配線８１３は接続端子８２４に取り付けられる。抵抗８２１は、接続端子８２３と８２４との間の負荷のインピーダンスを一定（Ｚ0）に保つ。インピーダンス可変装置８２２は、疑似負荷装置８２０内の接続端子８２４と電流出力端子８２５との間の負荷インピーダンスをあらかじめ設定した通りに時間的に変化させ（Ｚm（ｔ））、疑似負荷装置８２０と配線８１３とを流れる電流に時間的変化を与える。
【００６３】
また、図８の通信設備８００において、撤去対象の配線（組）となる配線８１２及び８１３であると推定される配線（組）には、電流センサ８３０が取り付けられる。電流センサ８３０は、配線をクランプして電流を検出するクランプ状の電流プローブ８３１と、電流プローブ８３１に接続された検出装置８３２とを備える。電流プローブ８３１は、クランプ型の電流センサであり撤去対象となる配線８１３及び配線８１２と推定される配線（組）をクランプして、配線を流れる電流の変化を感知して検出装置８３２に送信する。
【００６４】
また、図８の通信設備８００において、撤去対象の配線となる配線８１２及び８１３には、電流信号注入装置８４０が取り付けられる。電流信号注入装置８４０は、配線をクランプするクランプ状の電流信号注入プローブ８４１と、電流信号注入プローブ８４１に接続された信号発生器８４２とを備える。電流信号注入装置８４０は、配線８１２、８１３、及びインピーダンス可変装置８２２に電流信号を注入するものであり、電磁誘導等を用いて、電流信号注入プローブ８４１によりクランプした配線に所望の電流を誘起させることができる。本変形例においては、電流信号注入プローブ８４１により配線組（８１２及び８１３）をまとめてクランプできるため、配線８１２と８１３とが分離できない場合に有効な方法である。
【００６５】
本変形例は、配線撤去システム７００の電流出力端７２５を接地させたものであり、配線撤去システム７００と同様に、電流信号注入プローブ８４０の信号発生器により電流信号を撤去対象となる配線８１２及び配線８１３と推定される配線に印加しつつ、疑似負荷装置８２０のインピーダンス可変装置８２２において、あらかじめ設定した通りに時間的に変化させることで、疑似負荷装置８２０と配線８１２及び８１３とを流れる電流を時間的に変化させることができる。この電流の時間的変化が検出装置８３２に表示されれば、電流プローブ８３１がクランプした配線（組）を撤去対象の配線と特定できる。
【００６６】
［第４の実施形態］
本実施形態においても、電源供給装置に、２本の配線を介して接続されている通信装置を取り外し、取り外した通信装置の代わりに、疑似負荷装置を取り付ける。撤去対象と推定される配線には電流センサを取り付け、疑似負荷装置の負荷インピーダンスの調整により生じた電流の時間的変化を検出し、撤去対象の配線を特定するが、本実施形態においても２本の配線が一体となり、分離できない場合の配線の特定方法である。
【００６７】
図９は、本発明の第４の実施形態にかかる撤去対象の配線を特定する方法において、電源供給装置に疑似負荷装置を接続し、撤去対象の配線に電流センサを取り付けた状態を示す構成図である。図９の通信設備９００において、電源供給装置９０１には、配線９１２及び９１３を介して疑似負荷装置９２０が接続される。ここで、電源供給装置９０１はＡＣ又はＤＣ電源である。疑似負荷装置９２０は、接続端子９２３及び９２４と、電流出力端子９２５と、接続端子９２４と接地端子９２５との間に直列に配置されたインピーダンス可変装置９２１及び信号発生器９２２を備えている。通信装置９１１から取り外した配線９１２は接続端子９２３に、配線９１３は接続端子９２４に取り付けられる。また、電流出力端子９２５は配線９２６を介して、配線９１３に取り付けられた容量結合装置９４０に接続される。ここで、容量性結合装置９４０は、配線９１３に取り付ける非接触型のプローブであり、配線の芯線との間の静電誘導を利用して、取り付けた配線９１３と容量結合することができる。このとき、配線９１３、インピーダンス可変装置９２２、信号発生器９２２、配線９２６、及び容量結合装置９４０の間で閉回路が形成される。信号発生器９２２は、配線９１３、インピーダンス可変装置９２２、信号発生器９２２、配線９２６、及び容量結合装置９４０の間で形成された閉回路に電流信号を注入するものであり、インピーダンス可変装置９２２は、疑似負荷装置９２０内の接続端子９２４と電流出力端子９２５との間の負荷インピーダンスをあらかじめ設定した通りに時間的に変化させ（Ｚm（ｔ））、疑似負荷装置９２０と配線９２３とを流れる電流に時間的変化を与える。
【００６８】
また、図９の通信設備９００において、撤去対象の配線（組）となる配線９１３及び配線９１２であると推定される配線（組）には、電流センサ９３０が取り付けられる。電流センサ９３０は、配線をクランプして電流を検出するクランプ状の電流プローブ９３１と、電流プローブ９３１に接続された検出装置９３２とを備える。電流プローブ９３１は、クランプ型の電流センサであり撤去対象となる配線９１３及び配線９１２と推定される配線（組）をクランプして、配線を流れる電流の変化を感知して検出装置９３２に送信する。
【００６９】
ここで、本実施形態による、撤去対象となる配線を特定する方法について説明する。配線９１２及び９１３から通信装置９１１を取り外した後に、疑似負荷装置９２０の接続端子９２２を配線９１２に、接続端子９２３を配線９１３と推定される配線に接続する。また、配線９２６を、電流出力端９２５及び容量製結合装置９４０に接続し、容量製結合装置９４０を配線９１３に接続する。次に、電流センサ９３０の電流プローブ９３１を、撤去対象配線である配線９１２及び９１３と推定される配線（組）にクランプする。
【００７０】
そして、疑似負荷装置９２０の信号発生器９２２により閉回路に所望の電流信号を発生させ、インピーダンス可変装置９２１において、予め設定した時間変化の通りに負荷インピーダンスを調整する（Ｚm（ｔ））。負荷インピーダンスの調整により、疑似負荷装置９２０と配線９１３及び９２６とを流れる電流も、負荷インピーダンスの時間的変化に対応して、時間的に変化する。
【００７１】
そして、疑似負荷装置９２０のインピーダンス可変装置９２２において、予め設定した時間変化の通りに負荷インピーダンスを調整する（Ｚm（ｔ））。負荷インピーダンスの調整により、疑似負荷装置９２０と配線９１３及び９２６とを流れる電流も、負荷インピーダンスの時間的変化に対応して、時間的に変化する。
【００７２】
ここで、電流センサ９３０の検出装置９３２に対し、予め設定した負荷インピーダンスの波形（Ｚm（ｔ））を与えることにより、疑似負荷装置９２０と配線９１３及び９２６とを流れる電流の波形（Ｉ（ｔ））を算出して、記憶できるように設定する。
【００７３】
負荷インピーダンスを、図３（ａ）のような波形に変化させた場合、電流プローブ９３１に接続された検出装置９３２において、算出し記憶した図３（ｂ）又は図３（ｃ）の電流波形と同一の電流波形が検出された場合は、電流プローブ９３１がクランプした配線が、撤去対象の配線９１２及び９１３であると特定できる。一方で、図３（ｂ）又は図３（ｃ）の電流波形と異なる電流波形が検出された場合は、電流プローブ９３１がクランプした配線（組）が、撤去対象の配線９１２及び９１３ではないと特定できる。
【００７４】
通信設備９００において、配線９１３と配線９２６との間に接続された負荷インピーダンスを、あらかじめ設定した通りに時間的に変化させることで、疑似負荷装置９２０と配線９１３及び９２６とを流れる電流を時間的に変化させることができる。この電流の時間的変化が検出装置９３２に表示されれば、電流プローブ９３１がクランプした配線（組）を撤去対象の配線と特定できる。
【００７５】
なお、信号発生装置９２２において、例えば他の機器の電源電流変動に見られない特徴的な波形による電流を発生させた場合にも、電流プローブ９３１がクランプした配線（組）において同一の信号が検出された場合、クランプした配線を撤去対象の配線９１２及び９１３と特定できる。この場合、インピーダンス可変装置９２１によりインピーダンスを調整する必要はない。
【００７６】
なお、本実施形態においても、通信装置の２本の配線（９１２及び９１３）が分離できない場合に、両配線をまとめてクランプ型の電流プローブ９３１に挟んで計測するため、電源対単位で配線識別が可能である。また、配線９１３に電流性の信号を印加しているため、通信設備内の他の稼働中の通信装置に接続された配線に信号が回り込むこともなく、配線の誤識別を防げることができる。
【符号の説明】
【００７７】
１００、２００、４００、５００、６００、７００、８００、９００  配線撤去システム
１０１、２０１、４０１、５０１、６０１、７０１、８０１、９０１  電源供給装置
１１０  電流分配架
１１１、１１２  電流供給線
１２２、１２３、１３１、１３２、１４１、１４２、２１２、２１３、４１２、４１３、５１２、５１３、５２６、６１２、６１３、７１２、７１３、７２６、８１２、８１３、９１２、９１３、９２６  配線
１４４、５４２、６４２、７４２、８４２、９２２  信号発生器
１４５  クランプ型プローブ
１４６  検出装置
１４７  信号センサ
１４８  電圧検知センサ
１２１、１３１、１４１、２１１、４１１、５１１、６１１、７１１、８１１、９１１  通信装置
２２０、４２０、５２０、６２０、７２０、８２０、９２０  疑似負荷装置
２２１、４２２、５２２、６２２、７２２、８２２、９２１  インピーダンス可変装置
２２２、２２３、４２２、４２３、５２２、５２３、６２２、６２３、７２２、７２３、８２２、８２３、９２２、９２３  接続端子
２３０、４３０、５３０、６３０、７３０、８３０、９３０  電流センサ
２３１、４３１、５３１、６３１、７３１、８３１、９３１  電流プローブ
２３２、４３２、５３２、６３２、７３２、８３２、９３２  検出装置
４２５、６２５、８２５  接地端子
５２５、７２５、９２５  電流出力端子
５４０、６４０、７４０、８４０  電流信号注入装置
５４１、６４１、７４１、８４１  電流信号注入プローブ
９４０  容量性結合素子
【図１】
0006454235.tif 000002
【図２】
0006454235.tif 000003
【図３】
0006454235.tif 000004
【図４】
0006454235.tif 000005
【図５】
0006454235.tif 000006
【図６】
0006454235.tif 000007
【図７】
0006454235.tif 000008
【図８】
0006454235.tif 000009
【図９】
0006454235.tif 000010